(57)【要約】【課題】従来の駐車料金管理システムを根本的に変更すること無しに、簡易な構成で大幅なコストの負担もなく、且つ一旦発行した駐車券を再利用することにより、環境へ配慮すると同時に、車両のユーザーが、高い頻度で当該駐車場を再利用しやすくした駐車料金管理システムを提供する。【解決手段】従来公知の車両の入出庫管理システム１に於いて、駐車料金Ｍが予め定められた基準料金Ｓを超過している場合には、出庫ゲート装置８に於いて、次回の駐車場への入庫に際して使用可能な、クーポン券１６を駐車券４に印刷して当該ユーザーに返却する様に構成したことを特徴とする駐車場管理システム１。【選択図】図１
2011248571.tif 000002
【特許請求の範囲】
【請求項１】
車両の駐車場に於ける駐車場管理システムであって、当該駐車場管理システムは、当該車両の当該駐車場への入庫口に設けられており、個々の車両の入庫時に、当該車両の入庫時刻を印刷表示した駐車券を発行する入庫ゲート装置と、当該車両が当該駐車場を出る際に、当該車両のユーザーが、投入する当該駐車券を受け入れ、当該駐車場に当該車両が入庫した時刻と当該ユーザーが当該駐車場を出庫する時刻から、当該車両の駐車時間を算出して、当該駐車時間に対応する駐車料金を算出し、当該算出された当該駐車料金を表示する表示装置と、当該表示装置に表示された当該駐車料金に相当する駐車料金の入金が有った場合にゲートを開放する様に構成された出庫ゲート装置と、当該入庫ゲート装置と当該出庫ゲート装置と、を制御すると共に、当該車両の入庫時刻と出庫時刻とから、当該車両の駐車時間を演算する機能と、当該駐車時間に対応する駐車料金を記憶する記憶装置と、当該駐車時間に相当する当該駐車料金を当該記憶装置から選択して決定する駐車料金決定手段と当該決定された当該駐車料金を当該出庫ゲート装置の表示装置に表示させる表示機能とを有する制御手段とから構成されている当該車両の入出庫管理システムに於いて、当該駐車料金が予め定められた基準料金を超過している場合には、当該出庫ゲートに於いて、次回の駐車場への入庫に際して使用可能な、クーポン券を当該駐車券に印刷して当該ユーザーに返却する様に構成したことを特徴とする駐車場管理システム。
【請求項２】
当該クーポン券付き駐車券は、次回当該ユーザーが、当該同一駐車場に入庫し、当該駐車場を出庫する際に、当該出庫ゲート装置に、今回の入庫時に発行された駐車券と共に挿入することを特徴とする請求項１に記載の駐車場管理システム。
【請求項３】
当該クーポン券付き駐車券は、当該クーポン券付き駐車券を所持するユーザーが、次回、当該同じ駐車場に入庫した場合に限り、次回の駐車料金は、次回の駐車料金から、当該クーポン券に表示されている条件に従って、割引する様に設定されている事を特徴とする請求項１又は２に記載の駐車場管理システム。
【請求項４】
当該クーポン券付き駐車券は、当該クーポン券の発行時点で、当該駐車料金が所定の基準料金を超えている場合、当該所定の基準料金の超過の程度に応じて、当該クーポン券で得られる割引の程度が変化する様に構成されている事を特徴とする請求項１乃至３の何れかに記載の駐車場管理システム。
【請求項５】
当該クーポン券の表示は、当該割引料金の表示である事を特徴とする請求項１乃至４の何れかに記載の駐車場管理システム。
【請求項６】
当該クーポン券の表示は、当該割引の程度を示すポイント数である事を特徴とする請求項１乃至５の何れかに記載の駐車場管理システム。
【請求項７】
当該クーポン券の有効期間は、一ヶ月以内に設定される事を特徴とする請求項１乃至６の何れかに記載の駐車場管理システム。
【請求項８】
当該クーポン券は、次回の当該同一駐車場に入庫した場合に一枚若しくは複数枚のクーポン券を使用する事が出来る事を特徴とする請求項１乃至７の何れかに記載の駐車場管理システム。
【請求項９】
当該駐車料金が当該所定の金額を超過しなかった場合には、当該駐車券は、回収する事を特徴とする請求項１乃至８の何れかに記載の駐車場管理システム。
【発明の詳細な説明】
【技術分野】
【０００１】
本発明は、車両の駐車場に於ける駐車料金の管理システムに関するものであり、特に詳しくは、当該駐車料金の割引方法に関する管理システムである。
【背景技術】
【０００２】
従来、車両のユーザーは、所定の駐車場に入庫する際に、当該駐車場の入口ゲートを通過する際に、当該駐車場の入口ゲート装置から所定の駐車券を受け取り、出庫する際には、当該駐車場の出口ゲートを通過する際に、当該駐車場の出口ゲート装置に当該駐車券を挿入し、表示される駐車時間に対応する駐車料金を支払い、当該出口ゲートが開放されて出庫する様なシステムが一般的である。
かかる従来の駐車場の駐車料金管理システムに於いては、使用された駐車券は、そのまま回収され廃棄されているのが通常であり、資源の無駄と考えられている。
【０００３】
更に、上記した従来の駐車料金管理システムでは、ユーザーが要望する駐車料金の割引などのサービスを提供する事は困難であった。
その為、従来では、当該駐車場と提携する商店に於ける商品購入額を記載した領収書等を当該駐車券と共に、管理人が常駐する出口ゲートで提示して当該駐車料金を駐車時間と当該購入した商品の金額とを勘案して、割り引くなどの方法が行われているに過ぎない。
【０００４】
一方、当該駐車場に於いて、車両番号認識装置を配置して、当該駐車場に入庫する車両を特定するシステムが導入されているか、当該車両にＥＴＣシステムが搭載されているか、当該車両のユーザーが携帯電話を所持している等の場合で、当該駐車場側で、当該車両の特定が可能な場合のみ、当該同一車両が次回再入庫した場合に、その際の駐車料金を割り引くと言うサービスを提供するシステムが例えば、特開２０１０−４４６７１号公報〈特許文献１〉、特開２００９−２８２６４９号公報〈特許文献２〉或いは特開２００８−９７２５号公報〈特許文献３〉等に開示されており、又、無線ＩＤタグを使用して、ユーザー車両側の端末と当該駐車場側の端末との間で、当該車両の当該駐車場の利用頻度を確認し、利用頻度に応じて、次回の入庫時の駐車料金を割り引く様にした、駐車料金管理システムが特開２００８−１９２０６５号公報（特許文献４）等に開示されている。
【０００５】
しかしながら、係る駐車料金管理システムでは、駐車券は一切使用しない替わりに、車両番号認識装置、ＥＴＣシステムや無線ＩＤタグの使用が前提となっており、当該駐車料金管理システム全体のコストは大幅に高騰すると同時に当該車両のユーザーにも高額なコスト負担を強いることになり、安価で一般的なシステムでない事は明らかである。
【０００６】
一方、駐車場を管理する側からみれば、一般の全ての車両を対象に出来、コストが安価で、管理が容易であると共に、車両のユーザーが、頻繁にリピーターとして同一駐車場を利用してもらう事が望ましく、更には、一旦発行した駐車券を再利用出来ると言う環境に優しいシステムを構築する事も必要である。
【先行技術文献】
【特許文献】
【０００７】
【特許文献１】特開２０１０−４４６７１号公報
【特許文献２】特開２００９−２８２６４９号公報
【特許文献３】特開２００８−９７２５号公報
【特許文献４】特開２００８−１９２０６５号公報
【発明の概要】
【発明が解決しようとする課題】
【０００８】
従って、本発明の目的は、上記した従来の問題を解決すると共に、従来の駐車料金管理システムを根本的に変更すること無しに、簡易な構成で大幅なコストの負担もなく、且つ一旦発行した駐車券を再利用することにより、環境へ配慮すると同時に、車両のユーザーが、高い頻度で当該駐車場を再利用しやすくした駐車料金管理システムを提供するものである。
【課題を解決するための手段】
【０００９】
本発明は、上記した目的を達成するために、基本的には、以下に記載されたような技術構成を採用するものである。
即ち、本発明に係わる駐車場管理システムの態様は、車両の駐車場に於ける駐車場管理システムであって、当該駐車場管理システムは、当該車両の当該駐車場への入庫口に設けられており、個々の車両の入庫時に、当該車両の入庫時刻を印刷表示した駐車券を発行する入庫ゲート装置と、当該車両が当該駐車場を出る際に、当該車両のユーザーが、投入する当該駐車券を受け入れ、当該駐車場に当該車両が入庫した時刻と当該ユーザーが当該駐車場を出庫する時刻から、当該車両の駐車時間を算出して、当該駐車時間に対応する駐車料金を算出し、当該算出された当該駐車料金を表示する表示装置と、当該表示装置に表示された当該駐車料金に相当する駐車料金の入金が有った場合にゲートを開放する様に構成された出庫ゲート装置と、当該入庫ゲート装置と当該出庫ゲート装置と、を制御すると共に、当該車両の入庫時刻と出庫時刻とから、当該車両の駐車時間を演算する機能と、当該駐車時間に対応する駐車料金を記憶する記憶装置と、当該駐車時間に相当する当該駐車料金を当該記憶装置から選択して決定する駐車料金決定手段と当該決定された当該駐車料金を当該出庫ゲート装置の表示装置に表示させる表示機能とを有する制御手段とから構成されている当該車両の入出庫管理システムに於いて、当該駐車料金が予め定められた基準料金を超過している場合には、当該出庫ゲートに於いて、次回の駐車場への入庫に際して使用可能な、クーポン券を当該駐車券に印刷して当該ユーザーに返却する様に構成したことを特徴とする駐車場管理システムである。
【発明の効果】
【００１０】
本発明は、基本的には上記した様な技術構成を採用しているので、上記した従来の問題を解決すると共に、従来の駐車料金管理システムを根本的に変更すること無しに、簡易な構成で大幅なコストの負担もなく、且つ一旦発行した駐車券を再利用することにより、環境へ配慮すると同時に、車両のユーザーが、高い頻度で当該駐車場を再利用しやすくした駐車料金管理システムが容易に得られると言う優れた作用効果を発揮するものである。
【図面の簡単な説明】
【００１１】
【図１】図１は、本発明に係る駐車場管理システムの一具体例に於ける構成の例を示すブロック図である。
【図２】図２は、本発明に於いて使用される駐車券の例と、当該駐車券をクーポン券として活用した場合の具体例の構成を示す図である。
【図３】図３は、本発明に於ける出庫ゲート装置に於いて実行される駐車料金管理処理操作の一具体例を説明する為のフローチャートである。
【図４】図４は、本発明に於ける出庫ゲート装置に於いて実行される駐車料金管理処理操作の一具体例を説明する為のフローチャートである。
【図５】図５は、本発明で使用される駐車時間と駐車料金の関係を設定したルックアップテーブルの一例を示す図である。
【図６】図６は、本発明で使用される駐車料金とクーポン券の発行基準値と、割引料金との関係を記憶するルックアップテーブルの一例を示す図である。
【発明を実施するための形態】
【００１２】
以下に本発明の具体的な態様に於ける構成の例を、図面を参照しながら詳細に説明する。
即ち、図１は本発明にかかる第１の態様の一具体例の構成の例を示す図であって、車両の駐車場に於ける駐車場管理システム１であって、当該駐車場管理システム１は、車両２の当該駐車場への入庫口３に設けられており、個々の車両２の入庫時に、当該車両２の入庫時刻を印刷表示した駐車券４を発行する入庫ゲート装置５と、当該車両２が当該駐車場を出庫口６を通過する際に、当該出庫口６に設けられており、当該車両２のユーザーが、投入する当該駐車券４を受け入れ、当該駐車場に当該車両２が入庫した時刻Ｐと当該ユーザーが当該駐車場を出庫する時刻Ｑから、当該車両２の駐車時間Ｔを算出した後、当該駐車時間Ｔに対応する駐車料金Ｍを算出し、当該算出された当該駐車料金Ｍを表示する表示装置７と、当該表示装置７に表示された当該駐車料金Ｍに相当する駐車料金Ｍの入金が有った場合にゲートを開放する様に構成された出庫ゲート装置８と、当該入庫ゲート装置５と当該出庫ゲート装置８とを制御すると共に、当該車両２の入庫時刻Ｐと出庫時刻Ｑとから、当該車両２の駐車時間Ｔを演算する演算手段９と、当該駐車時間Ｔに対応する駐車料金Ｍを記憶する記第１の憶装置１０と、当該駐車時間Ｔに相当する当該駐車料金Ｍを当該第１の記憶装置１０から選択して決定する駐車料金決定手段１１と当該決定された当該駐車料金Ｍを当該出庫ゲート装置８の表示装置７に表示させる表示回路手段１２とを有する制御手段１３とから構成されている当該車両の入出庫管理システム１に於いて、当該駐車料金Ｍが予め定められた基準料金Ｓを超過している場合には、当該出庫ゲート装置８に於いて、次回の駐車場への入庫に際して使用可能な、クーポン券１６を当該駐車券４に印刷して当該ユーザーに返却する様に構成したことを特徴とする駐車場管理システム１が示されている。
【００１３】
即ち、本発明に於ける当該駐車料金の割引サービスを導入した駐車場管理システムでは、基本的な駐車場管理システムそのものは、従来一般的に知られている駐車場管理システムを使用するものである。
従って、本発明に於いて使用される当該駐車場の入庫口３に設けられている当該入庫ゲート装置５は、例えば、当該車両のユーザーが適宜のボタン１８をタッチするか押し下げすることにより、所定の駐車券出力口１７より、入庫日時、ゲート番号等が印刷された従来の駐車券４が発行され、当該ユーザーが当該駐車券４を引き取ることにより所定のゲートが開放され、当該車両が当該駐車場内に入庫することが許可される様に構成されている。
【００１４】
一方、当該駐車場の出庫口６に設けられている当該出庫ゲート装置８も、従来のものと同様に、当該車両２のユーザーが、当該駐車場から出庫する際に、使用した駐車券４を投入する駐車券挿入部１９が設けられ、当該ユーザーが当該駐車券４を当該挿入部１９に挿入すると、当該出庫ゲート装置８が適宜の通信回線を介して接続している後述する制御装置１３が、当該駐車場に当該車両２が入庫した時刻Ｐと当該ユーザーが当該駐車場を出庫する時刻Ｑとから、当該車両２の駐車時間Ｔを算出して、当該駐車時間Ｔに対応する駐車料金Ｍを算出するので、その結果を当該出庫ゲート装置８が受信して、当該算出された当該駐車料金Ｍを表示装置７に表示する。そして、当該表示装置７に表示された当該駐車料金Ｍに相当する駐車料金Ｍが駐車料金挿入部３０を介して入金された場合に、ゲートを開放する様に構成されたものである。
【００１５】
更に、本発明に於いて使用される従来の駐車場管理システムに於いては、例えば、当該入庫ゲート装置５と当該出庫ゲート装置８とを制御する制御手段１３が設けられており、当該制御手段１３は、時刻情報を出力する時計手段２２と、当該車両２の入庫時刻Ｐと出庫時刻Ｑとから、当該車両２の駐車時間Ｔを演算する演算手段９と、当該駐車時間Ｔに対応する駐車料金Ｍを、例えば図５に例示する様な、ルックアップテーブルの様な形式で記憶する第１の記憶装置１０と、当該駐車時間Ｔに相当する当該駐車料金Ｍを当該第１の記憶装置１０から選択して決定する駐車料金決定手段１１と当該決定された当該駐車料金Ｍを当該出庫ゲート装置８の表示装置７に表示させる表示回路手段１２とを有するものである。
【００１６】
尚、図１中、ブロック２４は、後述するクーポン券を利用する場合のみ作動する回路であって、クーポン券を利用する場合以外は、スルーとなる。
尚、本発明に於いて、当該制御回路１３を当該出庫ゲート装置８の内部に設ける事も可能である。
【００１７】
本発明は、係る従来の駐車料金の支払を自動化する駐車場管理システムに於いて、環境保全を念頭に、簡易でコストの負担も少なく、容易に設備が可能な、不特定多数のユーザーに於ける当該駐車場の利用頻度を向上させるためのシステムを構築する為に、一旦発行され使用された駐車券で、従来は全て回収され廃棄処分されている駐車券を有効に活用する事も配慮して、当該出庫ゲート装置８に於いて、特定の条件を満たす駐車料金を支払ったユーザーに対して、当該一旦回収された当該駐車券に、次回同じ駐車場を利用した場合に、使用出来る所定の駐車料金割引サービスを記憶させ、それを目に見える状態で当該駐車券に印刷したものを、クーポン券の形で当該ユーザーに再交付する様に構成したものである。
【００１８】
つまり、より具体的には、図２に示す様に、本発明の当該駐車場管理システム１に於いて、当該ユーザーが今回の駐車で支払った駐車料金Ｍが、予め定められた基準料金Ｓを超過している場合には、当該出庫ゲート装置８に於いて、次回の同じ駐車場への入庫の後の出庫に際して使用可能な、クーポン券１６を当該駐車券４に更に、印刷して当該ユーザーに返却する様に構成したものである。
【００１９】
係る本発明の駐車場管理システムを実現する為には、例えば、当該出庫ゲート装置８の駐車券挿入部１９に近接して、一旦回収した当該駐車券４に、当該クーポン券を印刷した当該クーポン券付き駐車券１６を発行するクーポン券付き駐車券発行部２０を設けると共に、当該出庫ゲート装置８内部に適宜の当該クーポン券印刷手段２１を設け、且つ、当該出庫ゲート装置８と電気的に接続されている当該制御手段１３に、当該駐車料金決定手段１１により決定された当該駐車料金Ｍが、予め定められた基準料金Ｓを超過しているか否かを判断し、当該駐車料金Ｍが、予め定められた基準料金Ｓを超過している場合には、クーポン１６に記載すべき割引料金或いは割引き率若しくはポイント数を決定するための駐車料金割引サービス決定手段２６が更に設けられている。
【００２０】
係る当該駐車料金割引サービス決定手段２６は、図示の通り、例えば、上記した当該駐車料金決定手段１１と第２の記憶手段１４とに接続されている。
当該第２の記憶手段１４は、例えば図６に示す様に、駐車料金に対する予め定められた基準料金Ｓを設定すると同時に、当該基準料金Ｓを超過する場合の当該駐車料金Ｍに対応する割引料金Ｘ、（或いは割引き率若しくはポイント数）を設定しているルックアップテーブルを記憶するものである。
【００２１】
即ち、当該駐車料金割引サービス決定手段２６では、今回の駐車時間により支払駐車料金Ｍが当該基準料金Ｓを超過する場合若しくは当該基準料金Ｓを超過する程度に応じて、割引料金（割引率、或いはポイント）Ｘを決定するものであり、その結果が当該出庫ゲート装置８に送信され、当該出庫ゲート装置８の当該クーポン券印刷手段２１で、回収された駐車券に当該クーポン券が印刷されることになる。
【００２２】
又、当該駐車料金Ｍが予め定められた基準料金Ｓを超過している場合には、当該駐車料金Ｍの基準料金Ｓに対する超過の程度に応じて、次回同一駐車場への入庫に対する当該駐車料金に対する割引額或いは割引率を異なる値に決定する駐車料金割引サービス決定手段２６と、を設け、当該駐車料金割引サービス決定手段２６で決定された当該駐車料金割引サービスの内容を、当該出庫ゲート装置８に於いて、回収した当該駐車券４に印刷して当該ユーザーに返却する様に構成したものであっても良い。
【００２３】
従って、本発明に於いては、当該ユーザーが、最初の当該駐車場での駐車料金が、所定の基準料金金額Ｓを超えたことにより、当該クーポン券付き駐車券１６を入手した場合、次回当該ユーザーが、当該同一駐車場に入庫し、当該駐車場を出庫する際に当該クーポン券付き駐車券１６は、当該出庫ゲート装置８に今回の入庫時に発行された駐車券４と共に当該出庫ゲート装置８の駐車券挿入部１９に一緒に挿入することになる。
或は、駐車券４を挿入後、クーポン券付き駐車券１６を挿入する様にしても良い。
【００２４】
又、当該クーポン券付き駐車券１６が複数枚ある場合には、それらを纏めて同時に挿入しても良く、個別に順次挿入する様に設定する事も可能である。
係る場合には、例えば、当該駐車場管理システム１では、通常の方法で、当該駐車料金決定手段１１に於いて、今回の駐車料金Ｍを算出すると同時に、当該出庫ゲート装置８に於いて、回収された駐車券と当該クーポン券付き駐車券１６の内、当該クーポン券付き駐車券１６に記載された当該駐車料金割引額Ｘ（或いは割引率又はポイント数を）、適宜の読み取手段２３で読み取り、その読み取り結果を例えば、当該制御手段１３に設けられた、当該駐車料金割引額或いは割引率記憶バッファー２５等に一旦記憶させておき、そのデータを基に、当該駐車料金決定手段１１と当該表示回路手段１２との間に接続された、駐車料金減算手段２４に於いて、割引後の駐車料金Ｍ’が演算される事になる。
【００２５】
つまり、当該決定された駐車料金Ｍから当該クーポン券１６の割引額Ｘを減算する当該駐車料金減算手段２４に於いて、今回決定された当該駐車料金Ｍから当該クーポン券付き駐車券１６から読み取った、当該駐車料金割引額を減算するか、当該割引率を乗算して今回の当該駐車料金Ｍ’の額を決定し、その結果を当該出庫ゲート装置８の表示手段７に表示する。
【００２６】
当該ユーザーが当該表示された駐車料金の支払を済ませた後或いはそれと同時又はその前に、当該駐車場管理システム１では、今回の割引前の駐車料金Ｍを当該基準料金Ｓと再度比較し、当該駐車料金Ｍが、当該基準駐車料金Ｓを超えている場合には、回収された当該駐車券４に当該クーポン券１６を印刷して当該ユーザーに提供するが、既にクーポン券が印刷された前回使用時の駐車券４は、今回の割引操作で既に使用されたので、当然回収し、廃棄処分にする。
【００２７】
この場合、当該ユーザーが、新たな当該クーポン券１６を当該クーポン券付き駐車券発行部２０から引き抜くまで、当該出庫ゲート装置８のゲートは開放されない様に設定されている事が望ましい。
又、今回の駐車料金が、当該基準駐車料金Ｓを超えなかった場合には、当該駐車券４は、そのまま回収される。
【００２８】
即ち、本発明に於いては、当該クーポン券付き駐車券１６は、当該クーポン券付き駐車券１６を所持するユーザーが、次回、当該同じ駐車場に入庫した場合に限り、次回の駐車料金Ｍから当該クーポン券に表示されている条件に従って、割引が行われる様に設定されているものである。
【００２９】
本発明に於ける当該クーポン券には、図２に示される様に、一旦使用された駐車券４に例えば、当該「クーポン券」の文字、及び「クーポン額面」、当該クーポン券の「発行日」及び「有効期限」等が印刷されると同時に、当該各情報が駐車券の適宜の記憶部にも電子的或いは電磁気的に記憶されている。
本発明に於いては、当該クーポン券が発行される場合には、当該駐車券の電子的或いは磁気的記憶部に於ける記憶情報も、当該駐車券の種類は、通常の駐車券情報から、クーポン券付き駐車券情報に変更されることが望ましい。
【００３０】
本発明に於いて、当該クーポン券付き駐車券１６は、原則として、当該クーポン券の発行時点で、当該駐車料金Ｍが所定の基準料金Ｓを超えている場合に、発行する事を基本とするが、当該今回の駐車料金Ｍが、当該所定の基準料金Ｓの超過の程度に応じて、当該クーポン券１６で得られる割引の程度を変化させる様に構成する事も可能である。
【００３１】
例えば、図６に示す様に、当該所定の基準料金Ｓを６００円と設定した場合、当該駐車料金が６００円以下であれば、当該クーポン券付き駐車券１６は発行せず、当該駐車券４は、出庫ゲート装置８で自動的に回収される。
一方、例えば、当該駐車料金Ｍが６００円以上である場合には、当該駐車料金Ｍの割引額Ｘとして１００円を指定したクーポン券を印刷し、かつ所定の記憶手段に記憶させたクーポン券付き駐車券１６を発行する。
【００３２】
この場合、当該基準料金Ｓを一律に設定せずに、利用した駐車料金の額に対応して多段に設定する事も可能であり、例えば、図６に示す様に、当該駐車料金Ｍが６００円以上で１０００円以下の場合には、当該駐車料金Ｍの割引額Ｘとして１００円を指定したクーポン券を印刷し、かつ所定の記憶手段に記憶させたクーポン券付き駐車券１６を発行し、当該駐車料金Ｍが１０００円以上である場合には、当該駐車料金Ｍの割引額Ｘとして２００円を指定したクーポン券を印刷し、かつ当該駐車券の所定の記憶手段に記憶させたクーポン券付き駐車券１６を発行する様に設定する事も出来る。
【００３３】
上記した、クーポン券に於ける当該駐車料金の割引料金の額を変動方式に設定する場合でも、そのシステムを当該記憶手段１４に予め記憶させておく事が出来る。
又、精算する段階での当該駐車料金Ｍは、当該同一駐車場に入庫する都度、精算される駐車料金を基準に当該所定の基準料金Ｓとの比較を行うものであるが、場合によっては、当該クーポン券の金額を加味した金額〈つまり当該クーポン券記載の金額が減額された金額〉を今回の駐車料金Ｍとして計算する場合もありうる。
【００３４】
尚、本発明に於ける当該クーポン券の表示は、当該駐車料金Ｍに対する割引額の表示であっても良く或いは割引率の表示で有っても良い。
又、本発明に於いては、当該駐車料金の割引額又は割引率の程度を示すポイント数で表示したものであっても良い。
本発明に於ける当該クーポン券付き駐車券１６には、当該ユーザーの頻繁の再利用を効果的に促すと言う観点から、今回の駐車料金の清算日から計算した所定の有効期限を設定しておく事が望ましい。
当該有効期限は、例えば、当該精算日から一週間乃至一ヶ月〈３０日〉の間で、任意に設定する事が好ましい。
【００３５】
但し、当該ユーザーが当該駐車場を利用した当日、つまり精算日の当日は、当該クーポン券付き駐車券の利用は禁止としておく事が望ましい。
更に、本発明に於いては、当該クーポン券付き駐車券１６は、次回の当該同一駐車場に入庫した場合に限り、上記した有効期限内にある一枚の当該クーポン券付き駐車券１６を使用できる様に設定する事も可能であるが、場合によっては、上記した有効期限内にある複数枚の当該クーポン券付き駐車券１６を同時に使用する事も可能である。
【００３６】
当該複数枚のクーポン券付き駐車券１６が同時に使用された場合には、当該駐車料金Ｍに対する割引額は、各クーポン券付き駐車券１６に記載された割引額の総計となっても良い。
又、上記した本発明の駐車料金管理システム１に於いては、当該出庫ゲート装置８とは別の当該駐車場外部の所定の部位に、当該出庫ゲート装置８に於ける機能と実質的に同じ機能を有する事前精算機８’を配置する事も可能であり、係る事前精算機８’で当該ユーザーが駐車料金の精算を行い、その際に当該クーポン券付き駐車券１６を少なくとも一枚使用して当該駐車料金Ｍに対する割引額を減算した駐車料金を支払った場合に、当該ユーザーが最後に当該出庫ゲート装置８に、当該駐車券を挿入し、出庫する場合に、超過料金が発生した場合、当該クーポン券付き駐車券は、使用出来ない様に設定しておく事も望ましい。
【００３７】
以下に、本発明に於ける中心的な操作処理である当該出庫ゲート８に於ける管理処理操作の具体例を図３及び図４を参照しながら詳細に説明する。
尚、以下の具体例では、ユーザーが出庫する際、駐車券とクーポン券付き駐車券とを別々に挿入する例を示しているが、双方を同時に挿入する様にする事も可能である。
又、以下の具体例では、当該クーポン券付き駐車券を一枚ずつ挿入する例を示しているが、当該クーポン券付き駐車券が複数枚ある場合には、その全てを同時に挿入する事も可能である。
【００３８】
即ち、図３及び図４に於いて、スタート後、ステップＳ−１に於いて、先ず、当該駐車場から出庫する車両２のユーザーが、駐車券４を当該出庫ゲート８の駐車券挿入口１９に挿入し、ステップＳ−２に於いて、当該駐車券４の記録情報の読み取りが実行される。
【００３９】
次いで、ステップＳ−３に進み、当該出庫ゲート８が当該制御手段１３と通信して、当該制御手段１３に設けられている時計手段２２から、当該車両２の出庫時刻Ｑを読み出すと同時に、当該駐車券４に既に記録されている当該車両２の当該駐車場への入庫時刻Ｐを読み出し、当該車両２の当該駐車場での駐車時間Ｔ（Ｔ＝Ｑ−Ｐ）を算出する。
【００４０】
その後、ステップＳ−４に進み、当該駐車時間Ｔと当該駐車時間Ｔに対応する駐車料金Ｍとの関係を予め記憶している第１の記憶手段１０（ルックアップテーブル）から、当該駐車時間Ｔに対応する駐車料金Ｍを読み出し、ステップＳ−５で当該駐車料金Ｍを表示手段７に表示する。
その後、ステップＳ−６に進んで、クーポン券付き駐車券が有るか否かが判断され、ＮＯであれば、ステップＳ−７に進んで、当該駐車料金Ｍの支払いがあったか否かを判断する。
【００４１】
ステップＳ−７でＹＥＳであれば、ステップＳ−８に於いて当該駐車料金Ｍと当該基準料金Ｓとが比較され、当該駐車料金Ｍが当該基準料金Ｓよりも低い場合、即ちステップＳ−８でＮＯであれば、ステップＳ−９に進んで当該駐車券４は回収され、ステップＳ−１０でゲートが開かれ、ＥＮＤとなる。
一方、ステップＳ−８でＹＥＳであれば、ステップＳ−１１に進み、当該基準料金Ｓは多段に設定されているか否かが判断され、ＮＯであれば、ステップＳ−１２に進み、当該クーポン券付き駐車券１６に記載されるべき割引料金（Ｘ）を記憶手段から読み出し、ステップＳ−１３で、当該割引料金（Ｘ）とするクーポン券を当該駐車券４に印刷する。
【００４２】
その後、ステップＳ−１４に進み、当該クーポン券付き駐車券１６を発行し、ステップＳ−１５で、当該クーポン券付き駐車券１６が抜き取られたか否かが判断され、ＹＥＳであればステップＳ−１６に於いてゲートが開かれ、ＥＮＤとなる。
又。ステップＳ−１１でＹＥＳであれば、ステップＳ−１７に進んで、当該駐車料金Ｍが、第１の基準料金Ｓと第２の基準料金Ｓ１との間にあるか否かが判断され、ＹＥＳであれば、ステップＳ−２１に進んで、当該駐車料金Ｍに対応する、当該クーポン券付き駐車券１６に記載すべき多段の割引料金額Ｘ１或はＸ２との関係を予め設定している適宜の第２の記憶手段１４から、当該駐車料金Ｍに対応する割引料金額Ｘ１を読み出し、ステップＳ−２２に進んで、当該回収した駐車券４に、当該割引料金額Ｘ１を表示したクーポン券付き駐車券１６を印刷する。
【００４３】
次いで、ステップＳ−１４に進み、前記したステップＳ−１４乃至ステップＳ−１６の各工程が実行される。
一方、ステップＳ−１７に於いて、ＮＯであれば、ステップＳ−１８に進み、当該駐車料金Ｍが第２の基準料金Ｓ１よりも大きいか否かが判断され、ＮＯであれば、ステップＳ−１７に戻り当該ステップＳ−１７とステップＳ−１８が繰り返され、ＹＥＳであれば、ステップＳ−１９に進んで、当該駐車料金Ｍに対応する、当該クーポン券付き駐車券１６に記載すべき多段の割引料金額Ｘ１或はＸ２との関係を予め設定している適宜第２の記憶手段１４から、当該駐車料金Ｍに対応する割引料金額Ｘ２を読み出し、ステップＳ−２０に進んで、当該回収した駐車券４に、当該割引料金額Ｘ２を表示したクーポン券付き駐車券１６を印刷し、ステップＳ−１４に進んで前記したステップＳ−１４乃至ステップＳ−１６の各工程が実行される。
【００４４】
一方、ステップＳ−６に於いて、ＹＥＳ、つまり当該クーポン券付き駐車券１６があるとの判断が出た場合、ステップＳ−２３に進み、当該クーポン券付き駐車券１６を当該出庫ゲート８に挿入する。
次に、ステップＳ−２４に於いて、当該クーポン券付き駐車券１６の記録情報を読み出し、ステップＳ−２５に於いて、当該クーポン券付き駐車券１６は有効か否かが判断され、ＮＯであれば、ステップＳ−２６に進み、当該クーポン券付き駐車券１６はユーザーに返却し同時に、音声ガイダンスにより当該クーポン券付き駐車券１６が無効である事をユーザーに報知し、その後、ステップＳ−６に進んで、その後の各ステップが繰り返される。
【００４５】
一方、ステップＳ−２５でＹＥＳであれば、ステップＳ−２７に進んで、当該クーポン券付き駐車券１６に示されている割引料金（Ｘ）を取得し、ステップＳ−２８に於いて、当該駐車料金Ｍから当該割引料金（Ｘ）を減算処理して、支払いが求められる駐車料金Ｍ’を演算して表示する。（Ｍ’＝Ｍ−（Ｘ））
その後、ステップＳ−２９に進み、当該クーポン券付き駐車券１６を回収し、ステップＳ−３０に進み、当該駐車料金Ｍとしての支払い残高Ｍ’が有るか否かが判断される。
即ち、当該支払い残高Ｍ’が０であるか否かが判断される。
【００４６】
当該ステップＳ−３０でＹＥＳであれば、つまり、当該支払い残高Ｍ’が未だ残存している場合には、ステップＳ−３１に進み、未使用の当該クーポン券付き駐車券１６が未だ残っているか否かが判断され、ＹＥＳであれば、つまり未だ未使用の当該クーポン券付き駐車券１６が残っている場合には、ステップＳ−３２に於いて、Ｍ←Ｍ’の変換操作を行って、ステップＳ−６に戻り、当該ステップＳ−６以降の各ステップが繰り返される。
一方、ステップＳ−３１でＮＯであれば、つまり、更なる未使用の当該クーポン券付き駐車券１６は存在しない場合には、ステップＳ−３３に進み、支払い残高Ｍ’（当該支払うべき駐車料金Ｍ’）が支払われたか否かが判断され、ＮＯであれば、当該ステップＳ−３３が繰り返され、ＹＥＳであれば、ステップＳ−３４に進んで、当該駐車料金Ｍと当該基準料金Ｓとが比較され、当該駐車料金Ｍが当該基準料金Ｓよりも低い場合、即ちステップＳ−３４でＮＯであれば、ステップＳ−３５に進んで当該駐車券４は回収され、ステップＳ−３６でゲートが開かれ、ＥＮＤとなる。
【００４７】
一方、ステップＳ−３４でＹＥＳであれば、ステップＳ−３７に進み、当該基準料金Ｓは多段に設定されているか否かが判断され、ＮＯであれば、ステップＳ−３８に進み、当該クーポン券付き駐車券１６に記載されるべき割引料金（Ｘ）を記憶手段から読み出し、ステップＳ−３９で、当該割引料金（Ｘ）とするクーポン券を当該駐車券４に印刷する。
その後、ステップＳ−４０に進み、当該クーポン券付き駐車券１６を発行し、ステップＳ−４１で、当該クーポン券付き駐車券１６が抜き取られたか否かが判断され、ＹＥＳであれば、ステップＳ−４２に於いてゲートが開かれ、ＥＮＤとなる。
【００４８】
又、ステップＳ−３７でＹＥＳであれば、ステップＳ−４３に進んで、当該駐車料金Ｍが、第１の基準料金Ｓと第２の基準料金Ｓ１との間にあるか否かが判断され、ＹＥＳであれば、ステップＳ−４７に進んで、当該駐車料金Ｍに対応する、当該クーポン券付き駐車券１６に記載すべき多段の割引料金額Ｘ１或はＸ２との関係を予め設定している適宜の第２の記憶手段１４から、当該駐車料金Ｍに対応する割引料金額Ｘ１を読み出し、ステップＳ−４８に進んで、当該回収した駐車券４に、当該割引料金額Ｘ１を表示したクーポン券付き駐車券１６を印刷する。
その後、ステップＳ−４０に進み、ステップＳ−４０乃至ステップＳ−４２の各ステップがくりかえされる。
【００４９】
一方、ステップＳ−４３に於いて、ＮＯであれば、ステップＳ−４４に進み、当該駐車料金Ｍが第２の基準料金Ｓ１よりも大きいか否かが判断され、ＮＯであれば、ステップＳ−４３に戻り当該ステップＳ−４３とステップＳ−４４が繰り返され、ＹＥＳであれば、ステップＳ−４５に進んで、当該駐車料金Ｍに対応する、当該クーポン券付き駐車券１６に記載すべき多段の割引料金額Ｘ１或はＸ２との関係を予め設定している適宜第２の記憶手段１４から、当該駐車料金Ｍに対応する割引料金額Ｘ２を読み出し、ステップＳ−４６に進んで、当該回収した駐車券４に、当該割引料金額Ｘ２を表示したクーポン券付き駐車券１６を印刷し、ステップＳ−４０に進んで前記したステップＳ−４０乃至ステップＳ−４２の各工程が実行される。
【００５０】
又、本発明に於いては、当該出庫ゲート装置８とは別に、別途、当該駐車場の近傍に当該駐車料金を精算する事前精算装置８’を設けることも可能であり、係る事前精算装置８’は、当該出庫ゲート装置８と略同一の構成を有するものであって、ユーザーが、当該駐車場とは異なる位置に設けられている当該事前精算装置８’を使用して、事前に当該駐車料金の支払いを済ませておき、実際に当該車両を当該駐車場から出庫する際は、金銭の取扱等を省き、スムースに出庫できる様に考慮されているものである。
【００５１】
但し、係る事前精算装置８’で当該駐車料金の支払いを完了した時刻とその後に、実際に出庫する際の時刻とに実質的な遅延時間が発生した場合には、当該出庫ゲート装置８を通過する際に、別途超過料金を徴収する場合がある。
その場合、例えば、当該事前精算装置８’で、当該クーポン券付き駐車券１６を使用して当該駐車料金を割引した料金で精算したユーザーは、当該超過料金を支払う際には、別のクーポン券付き駐車券１６或は、今回の出庫に際し、当該事前精算装置８’から提供された新たなクーポン券付き駐車券１６を再度使用することは許可しないように構成する事も可能である。
【００５２】
尚、本発明に於いて、当該クーポン券付き駐車券１６を発行するか否かの基準料金Ｓと比較される今回の駐車料金Ｍは、当該割引料金Ｘが適用された駐車料金Ｍ’を含めることは可能であるが、基本的には、ネットの駐車料金Ｍを比較の対象とする事が好ましい。
更に、本発明では、一旦回収された駐車券４を再利用する形で、当該駐車券４に当該クーポン券を印刷してクーポン券付き駐車券１６とするものであるが、場合によっては、別の用紙に当該クーポン券付き駐車券１６を印刷し、発行することも可能である。
【符号の説明】
【００５３】
１…駐車場管理システム
２…車両
３…入庫口
４…駐車券
５…入庫ゲート装置
６…出庫口
７…表示装置
８…出庫ゲート装置
８’…事前精算装置
９…演算手段
１０…記憶装置
１１…駐車料金決定手段
１２…表示回路手段
１３…制御手段
１４…記憶手段
１６…クーポン券付き駐車券
１７…駐車券出力口
１９…駐車券挿入部
２１…クーポン券印刷手段
２２…時計手段
２３…読み取手段
２４…駐車料金減算手段
２６…駐車料金割引サービス決定手段
２５…割引率記憶バッファー
３０…駐車料金挿入部
【図１】
2011248571.tif 000003
【図２】
2011248571.tif 000004
【図３】
2011248571.tif 000005
【図４】
2011248571.tif 000006
【図５】
2011248571.tif 000007
【図６】
2011248571.tif 000008